(57)【要約】【課題】支持部材を安定して支えることができる遊技機を提供する。【解決手段】遊技機は、リールユニットを収容する箱型の筐体と、筐体の側板間に設けられ、筐体内部に配置される構造物を支持する支持部材１２０を備えている。筐体の側板１０１Ｒには、支持部材１２０を重力方向下方側から支える支持面１０４Ｒ１が形成されており、支持面１０４Ｒ１は、側板１０１Ｒの内側面１０１Ｒ１よりも筐体の幅方向外側に位置している。【選択図】図５
2018161259.tif 000002
【特許請求の範囲】
【請求項１】
外周面に複数種類の図柄が配列されている複数のリールを有するリールユニットと、
前記リールユニットを内部に収容すると共に、遊技者と対向する前面が開口された箱型の筐体と、
前記筐体の側板間に設けられ、前記筐体内部に配置される構造物を支持する支持部材と、を備え、
前記筐体の側板に、前記支持部材を重力方向下方側から支えると共に、前記側板の内側面よりも前記筐体の幅方向外側に位置した支持面を備えた支持形状部を形成した、
ことを特徴とする遊技機。
【請求項２】
前記支持形状部は、前記筐体の前後方向に所定の長さを有する溝が形成された溝部である、
ことを特徴とする請求項１記載の遊技機。
【請求項３】
前記支持部材は、前記筐体の幅方向において、複数に分割して形成されている、
ことを特徴とする請求項１又は２記載の遊技機。
【請求項４】
前記支持部材は、前記側板に対して締結具により締結されるブラケット部を備え、
前記支持形状部は、前記筐体の前後方向における前記ブラケット部の端面が突き当てられて、前記ブラケット部の前後方向位置を位置決めする突当面を備え、
前記ブラケット部は、前記突当面に対して突き当てられた状態にて、前記側板に締結具により締結される締結位置となる、
ことを特徴とする請求項１乃至３のいずれか１項記載の遊技機。
【発明の詳細な説明】
【技術分野】
【０００１】
本発明は、遊技機に関する。
【背景技術】
【０００２】
一般に、メダルやパチンコ玉などの遊技媒体に対して一定の遊技価値を付与し、このような遊技媒体を獲得するための遊技を行う遊技機が知られており、このような遊技機の中でも回胴式遊技機やスロットマシンと呼ばれる遊技機では、箱型の筐体内に、外周面に図柄が配列されたリールを複数有するリールユニットを格納して構成されている。通常、リールユニットは、筐体の左右の側板間に設けられた棚板によって保持されており、従来、この棚板を、左右の側板の内壁面よりも内側に延出する係止部を形成して保持することが案出されている（特許文献１参照）。
【先行技術文献】
【特許文献】
【０００３】
【特許文献１】特開２００３−７９７８８号公報
【発明の概要】
【発明が解決しようとする課題】
【０００４】
上述したように側板の内壁面よりも筐体の内側に向けて係止部を突出させると、リールユニットのような重量のある構造物を支持する棚板を安定して保持することができる。しかしながら、筐体が樹脂によって形成される場合とは異なり、例えば、筐体が木製の場合など、筐体の内側に突出する係止部を作成するには、この係止部を削り出さなければならず、多大な労力を必要とすることがあった。このため、上記特許文献１記載のように筐体内側に係止部を突出させる以外の方法で、棚板などの支持部材を安定して支えることのできる構成の登場が求められていた。
【０００５】
そこで、本発明は、支持部材を安定して支えることができる遊技機を提供することを目的とする。
【課題を解決するための手段】
【０００６】
本発明に係る遊技機は、外周面に複数種類の図柄が配列されている複数のリールを有するリールユニットと、前記リールユニットを内部に収容すると共に、遊技者と対向する前面が開口された箱型の筐体と、前記筐体の側板間に設けられ、前記筐体内部に配置される構造物を支持する支持部材と、を備え、前記筐体の側板に、前記支持部材を重力方向下方側から支えると共に、前記側板の内側面よりも前記筐体の幅方向外側に位置した支持面を備えた支持形状部を形成した、ことを特徴とする。
【発明の効果】
【０００７】
本発明に係る遊技機によると、内側面よりも幅方向外側に位置する支持面を筐体の側板に形成し、この支持面により筐体内の構造物を支持する支持部を重力方向下方側から支持している。このため、上記支持部を安定して支えることができると共に、支持部材を高さ方向において位置決めをすることができる。
【図面の簡単な説明】
【０００８】
【図１】本発明の実施形態における遊技機の外観構成を示す斜視図。
【図２】図１の遊技機の前扉がはずれた状態の正面図。
【図３】図１の遊技機の筐体の側板を展開した展開図。
【図４】中板板金の構成を示す分解図。
【図５】中板板金の右側板に対する取り付け部を示す断面図。
【図６】中板板金の右側板に対する取り付け構造を示す模式図。
【図７】中板板金の左側板に対する取り付け構造を示す模式図。
【発明を実施するための形態】
【０００９】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１０】
１．遊技機の全体構成
まず、本発明の実施の形態に係る遊技機としてのスロットマシン１の全体構成について図１及び図２に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した箱型の筐体１０を備えていると共に、この開口した筐体１０の前面を開閉可能な前扉５０により被覆して構成されている。また、上記箱型の筐体１０の内部には、図２に示すように、複数のリールとしての第１リールＲ１〜第３リールＲ３を備えたリールユニット３０が収容されていると共に、このリールユニット３０の下部には、メダルの払出装置としてのホッパーユニット２０が収められている。
【００１１】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１２】
また、上記リールユニット３０の上方には、前扉５０の裏側に配設された副制御基板ユニット（不図示）と共に遊技機の制御基板を構成する主制御基板ユニット４１が設けられている。主制御基板ユニット４１は、ＣＰＵ、ＲＯＭ（情報記憶媒体の一例）、ＲＡＭ等を搭載し、遊技を実行するための各種の演算を行って上記リールユニット３０や、ホッパーユニット２０等の動作を制御する。更に、筐体１０の高さ及び前後（奥行き）方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１は、リールユニット３０やホッパーユニット２０等の他ユニットと接続されている。
【００１３】
前扉５０は、扉の上部、中央上部、下部にそれぞれ、演出用の絵柄や配当表などを表示する上パネル５７、中央パネル５２、下パネル５５が設けられており、中央パネル５２には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１４】
また、本実施形態のスロットマシン１では、表示窓５１を通じて図柄を観察するための表示位置として、各リールについて上段、中段、下段が設けられており、各リールの表示位置の組合せ（本実施の形態では中段一列）によって有効ラインＬ１が設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬ１が有効化される。
【００１５】
更に、中央パネル５２には、第１リールＲ１〜第３リールＲ３の停止順序（以下、打順ともいう）を報知する第１ナビランプＮＬ１〜第３ナビランプＮＬ３が表示窓５１の上方に設けられており、第１リールＲ１〜第３リールＲ３にそれぞれ対応する第１ナビランプＮＬ１〜第３ナビランプＮＬ３が点灯することによって、遊技者に打順を報知するようになっている。また、中央パネル５２の表示窓５１の下方には、ＬＥＤ、ランプ、７セグメント表示器等からなる遊技情報表示部ＤＳが設けられており、遊技情報表示部ＤＳにはメダルのクレジット数、１回の遊技におけるメダルの払出数あるいは獲得数、今回の遊技で当選した役の情報に係る報知表示、有利期間等の各種遊技情報が表示されるようなっている。
【００１６】
また、前扉５０は、下パネル５５が設けられる扉下部分５３が中央パネル５２のパネル面よりも前方に突出して設けられており、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタンＢＳが設けられている。
【００１７】
更に、扉下部分５３には、遊技者がメダルを投入するメダル投入口５６が設けられており、このメダル投入口５６から投入されたメダルは、扉下部分５３の裏側に設けられたセレクタ（不図示）によってカウントされてホッパーユニット２０へと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作を行う又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット４１において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００１８】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット４１へ出力するリール停止信号をオン状態からオフ状態に変化させる。
【００１９】
そして、主制御基板ユニット４１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２０】
また、主制御基板ユニット４１は、第１リールＲ１〜第３リールＲ３を停止させた後に、有効ラインＬ１上に停止している図柄の組合せに応じて、各種処理を実行する。主制御基板ユニット４１が実行する各種処理としては、例えば、有効ラインＬ１上に停止している図柄の組合せが複数種類の役のうち入賞した図柄の組合せがメダルの払い出しを伴う役である小役の図柄組合せである場合、つまり小役が入賞した場合には、有効ラインＬ１上に停止している小役に設定されている配当に基づきホッパーユニット２０からメダルを払い出す払出処理や、入賞した図柄の組合せが複数種類の役のうち遊技者にメダルを消費させることなく１回遊技を実行可能にする役であるリプレイの図柄組合せである場合には、今回の遊技における規定投入数のメダルを投入状態に設定するリプレイ処理等がある。
【００２１】
また、扉下部分５３の下部には、メダル払出口５９とメダル受け皿６０とが設けられており、遊技の結果に応じた枚数のメダルがメダル払出口５９からメダル受け皿６０へ払い出されるようになっている。また、例えば、遊技機内にクレジットされたメダルが記憶されている状態で、精算ボタンＢＳが押下された場合、精算ボタンＢＳの押下に伴ってホッパーユニットからクレジット数（クレジットされたメダルの枚数）に相当する枚数のメダルを払い出す精算処理を実行し、メダル払出口５９からメダル受け皿６０へメダルを払い出す。
【００２２】
更に、前扉５０には、遊技を盛り上げるために音響装置（６１Ｌ，６１Ｒ，６２Ｌ，６２Ｒ）や、ランプ装置（６３，６５，６７Ｌ，６７Ｒ）などの複数の演出装置が設けられている。具体的には、前扉５０の上部及び下部の左右端部には、それぞれ上部スピーカー６１Ｌ，６１Ｒ及び下部スピーカー６２Ｌ，６２Ｒが設けられており、遊技を補助したり、遊技を盛り上げたりするための各種の音声が出力される。
【００２３】
また、前扉５０の上部には、演出用役物としてアーチランプ６３及び回転灯６５が設けられている。アーチランプ６３は、左右の上部スピーカー６１Ｌ，６１Ｒの間に配置されており、レンズユニットが前方に向かって湾曲して構成されている。また、回転灯６５は、上記アーチランプ６３の下方でかつ上パネル５７の前面に設けられており、光源の周りを回転部材が回転するように構成されている。更に、前扉５０の側端部には、左右のサイドランプ６７Ｌ，６７Ｒが設けられており、これら左右のサイドランプ６７Ｌ，６７Ｒは、扉下部分５３の側方から上部スピーカー６１Ｌ，６１Ｒの側方まで、前扉５０の上下方向略全長に亘って延設されている。これらアーチランプ６３、回転灯６５及びサイドランプ６７Ｌ，６７Ｒ等のランプ装置は、遊技に合わせて点灯して演出用の照明装置として機能したり、遊技に係る情報を遊技者に報知する報知装置として機能する。
【００２４】
２．筐体の構成
次に、筐体１０の構成について図２及び図３に基づいて詳しく説明をする。図２及び図３に示すように、筐体１０は、前面が開放された箱型をしており、筐体１０の背面を覆う背面板１０１Ｂと、上面を覆う天板１０１Ｕと、下面を覆う底板１０１Ｄと、側方を覆う左右の側板１０１Ｌ,１０１Ｒと、を備えている。これら各背面板１０１Ｂ、天板１０１Ｕ、底板１０１Ｄ及び側板１０１Ｌ,１０１Ｒは、ＭＤＦ（Medium Density Fiberboard）などの繊維板から構成されており、木製の筐体１０を構成している。
【００２５】
また、筐体１０の前後方向前面側（奥行方向手前側）の縁部には、金属製の板状部材１０２,１０３,１５２,１５３が取り付けられており、筐体１０の強度を向上させていると共に前扉５０が閉じられた状態において外部から遊技機内部への侵入を防止している。より具体的には、天板１０１Ｕには、筐体１０の幅方向において天板１０１Ｕの略全幅に亘って延設された金属板からなる不正防止板１５２が、筐体１０内側の底面側から取り付けられている。また、底板１０１Ｄの上面には、ホッパーユニット２０が取り付けられ金属板からなる不正防止板１５３が前面側の縁部まで延設されている。更に、左右の側板１０１Ｌ,１０１Ｒの内側面１０１Ｌ１,１０１Ｒ１には、それぞれ不正防止板１０３及び鍵受け１０２が取り付けられている。不正防止板１０３は、左側板１０１Ｌの上下方向略全長に亘って延設されており、その上方部及び下方部に前扉５０のヒンジが取り付けられるブラケット１５１Ｕ，１５１Ｄが設けられている。また、鍵受け１０２も右側板１０１Ｒの上下方向略全長に亘って延設されていると共に、その上方部及び下方部に前扉５０のロック部が係合する係合部１０２Ｕ，１０２Ｄが設けられている。
【００２６】
一方、筐体１０の高さ方向中央上部にはリールユニット３０が格納されている。このリールユニット３０は、側板１０１Ｒ，１０１Ｌ間に架け渡された中板板金１２０及びリールフレーム１５０によって支持されており、リールフレーム１５０は、左右の側板１０１Ｒ，１０１Ｌの間を接続するように配設され、不正防止板１０３及び鍵受け１０２の取付部１０３ａ，１０２ａ（図３参照）を介して左右の側板１０１Ｒ，１０１Ｌに取り付けられている。リールユニット３０の上部は、このリールフレーム１５０に対してネジ止めされて固定されている。
【００２７】
また、中板板金１２０は、筐体１０の前後方向に所定長さを備えた金属製の板状部材であり、筐体１０の高さ方向略中央部にて左右の側板１０１Ｒ，１０１Ｌの間を接続する形で配設されている。この中板板金１２０は、図４に示すように、筐体１０の幅方向において複数に分割して形成されており、左側板１０１Ｌに取り付けられる中板板金本体１２１と、右側板１０１Ｒに取り付けられるＬ字板金１３０とを備えている。中板板金本体１２１は、断面コ字状に屈曲して形成されていると共に、その左端部に左側板１０１Ｌにネジ１２９（図７も併せて参照）により取り付けられる左側ブラケット部１２２が設けられ、その右端部にＬ字板金１３０とネジ１２７により連結される連結部１２６が形成されている。なお、本実施の形態では、左側ブラケット部１２２は、後述する溝部１０４Ｌに嵌挿される一対の取付部１２２ａ，１２２ｂと、不正防止板１０３を介して右側板にネジ止めされる取付部１２２ｃと、を備えて構成されている。また、中板板金本体１２１の筐体背面側の屈曲部には、筐体１０の背面板１０１Ｂにネジ止めされる背面側ブラケット部１２３ａ，１２３ｂが形成されていると共に、前面側の屈曲部には、リールユニット３０の下部がネジ止めされるリール固定部１２５が形成されている。
【００２８】
Ｌ字板金１３０は、Ｌ字状に屈曲されて形成されており、中板板金１２０を右側板１０１Ｒに取り付けるための右側ブラケット部を構成している。より具体的には、Ｌ字板金１３０は、右側板１０１Ｒに取り付けられる取付部１３０ａと、中板板金本体１２１の連結部１２６と連結される連結部１３０ｂとを備えている。
【００２９】
また、筐体１０の左右の側板１０１Ｌ，１０１Ｒの高さ方向略中央部には、筐体の把手部１０８Ｌ，１０８Ｒを取り付けるための開口１０９Ｌ，１０９Ｒが設けられている。ここで、把手部１０８Ｌ，１０８Ｒは、作業者が把手部内に手を差し込んで遊技機を持つことができるように略Ｌ字状に屈曲した袋形状をしており、上記開口１０９Ｌ，１０９Ｒに嵌め込まれている。開口１０９Ｌ，１０９Ｒは、中板板金１２０を取り付ける溝部１０４Ｌ，１０４Ｒの下方にてこれら溝部１０４Ｌ，１０４Ｒと隣接して形成されている。このため、中板板金本体１２１の左側ブラケット部１２２は、取付部１２２ａ，１２２ｂの間に切り欠き部１２２ｄを備えており、上記把手部１０８Ｌの筐体内側への突出部がこの切り欠き部１２２ｄに嵌挿されることによって中板板金１２０と把手部１０８Ｌとが干渉しないようになっている。また、同様に右側も、中板板金本体１２１の連結部１２６ａ，１２６ｂの間及びＬ字板金１３０の略中央部に切り欠き部１２６ｃ，１３０ｃが形成されており、この切り欠き部１２６ｃ，１３０ｃに把手部１０８Ｒの筐体内側への突出部が嵌挿されることによって中板板金１２０と把手部１０８Ｒとが干渉しないようになっている。
【００３０】
３．中板板金の支持構成
ついで、中板板金１２０の支持構成について図３乃至図５に基づいて詳しく説明をする。図３に示すように、筐体１０の組み立て状態において内側となる右側板１０１Ｒの内側面１０１Ｒ１には、上記Ｌ字板金１３０の取付部１３０ａが差し込まれる溝部１０４Ｒが形成されている。この溝部１０４Ｒは、筐体１０の前後方向に所定の長さ（本実施の形態では、取付部１３０ａの前後方向の長さよりも長い）を備えていると共に、取付部１３０ａの高さ方向の幅よりも若干の余裕を持たせた幅を備えている。また、溝部１０４Ｒは、鍵受け１０２が取り付けられる内側面１０１Ｒ１の凹部１０５と接続するように前方に向かって延設されており、前面側に対して開口して形成されている。このため、Ｌ字板金１３０は、溝部１０４Ｒに対して筐体１０の前面側から取付部１３０ａを差し込んで溝部１０４Ｒに対して取り付ける事ができるようになっている。
【００３１】
図５は、Ｌ字板金１３０が取り付けられた状態の溝部１０４Ｒを示す断面図である。図５に示すように、溝部１０４Ｒは、組み立て状態で筐体１０の内側となる内側面１０１Ｒ１よりも組み立て状態で筐体１０の外側になる外側面１０１Ｒ２側（即ち、筐体１０の幅方向外側）に凹んで形成されており、底面１０４Ｒ１と、背面１０４Ｒ２と、上面１０４Ｒ３と、側面１０４Ｒ４とを備えて筐体１０の内側及び前面側に開放して形成されている。Ｌ字板金１３０の取付部１３０ａは、溝部１０４Ｒに取り付けられた状態において、その底面部が溝部１０４Ｒの底面１０４Ｒ１に当接して支持されており、この溝部１０４Ｒの底面１０４Ｒ１は、重量方向下側から中板板金１２０を支える支持面となっている。
【００３２】
また、Ｌ字板金１３０は、背面側の端面を形成する取付部１３０ａの背面側の端面１３０ａ１（図３参照）が上記溝部１０４Ｒの背面１０４Ｒ２と当接するまで溝部１０４Ｒに嵌挿されて右側板１０１Ｒに取り付けられており、これにより、Ｌ字板金１３０の前後方向位置が位置決めされるようになっている。即ち、溝部１０４Ｒの背面１４０Ｒ２は、筐体１０の前後方向におけるＬ字板金１３０の取付部１３０ａの背面側の端面１３０ａ１が突き当てられて、Ｌ字板金１３０の前後方向位置を位置決めする突当面となっており、端面１３０ａ１と背面１４０Ｒ２とが当接する位置が右側板１０１Ｒにネジ止めされるＬ字板金１３０の取り付け位置（締結位置）となっている。溝部１０４Ｒは、Ｌ字板金１３０の取付部１３０ａの前後方向長さよりも長く形成されているため、溝部１０４Ｒの背面１０４Ｒ２に取付部１３０ａの背面側の端面１３０ａ１を当接させることによって、Ｌ字板金１３０の前後方向の位置を位置決めすることができる。
【００３３】
一方で、図３に示すように、左側板１０１Ｌの内側面１０１Ｌ１にも同様に、中板板金本体１２１の取付部１２２ａ，１２２ｂが差し込まれ溝部１０４Ｌが溝部１０４Ｒと対向する形で設けられている。この溝部１０４Ｌの底面１０４Ｌ１は、取付部１２２ａ，１２２ｂの底面と当接し、中板板金１２０を重力方向下方側から支持する支持面となっている。また、溝部１０４Ｌの背面１０４Ｌ２は、取付部１２２ｂの背面側の端面１２２ｂ１と当接して中板板金本体１２１の前後方向位置を位置決めする突当面となっている。溝部１０４Ｌは、中板板金本体１２１の取付部１２２ａの前面側端面と，取付部１２２ｂの背面側の端面１２２ｂ１との間の前後方向長さよりも長く形成されているため、溝部１０４Ｌの背面１０４Ｌ２に取付部１２２ｂの背面側の端面１２２ｂ１を当接させることによって、中板板金本体１２１の前後方向の位置を位置決めすることができる。なお、溝部１０４Ｌは、筐体１０の前面側に対して開口していないが、右側の溝部１０４Ｒと同様に筐体１０の前面側に対して開口させるように構成しても良い。左右の溝部１０４Ｌ，１０４Ｒが筐体の前方側に開口することによって、中板板金１２０を組み立てた状態で（もしくは複数に分離できない構造であっても）筐体１０の側板間に前方から差し込むことができる。
【００３４】
４．中板板金の組み付け手順
ついで、中板板金１２０の筐体１０への組み付け手順について説明をする。作業者は、中板板金１２０を筐体１０に組み付けるに際し、まず、図６に示すように、Ｌ字板金１３０の取付部１３０ａを右側板１０１Ｒの溝部１０４Ｒに筐体１０の前方側から差し込み、取付部１３０ａの背面側の端面１３０ａ１と溝部１０４Ｒの背面１０４Ｒ２とを当接させて前後方向の位置決めを行う。Ｌ字板金１３０が溝部１０４Ｒの背面１０４Ｒ２と当接するまで差し込まれると、次に作業者は、Ｌ字板金１３０の底部を溝部１０４Ｒの底面１０４Ｒ１に突き当てて、Ｌ字板金１３０の高さ方向位置の位置決めを行い、この状態にてネジ１３４にて取付部１３０ａを右側板１０１Ｒに対して締結する。
【００３５】
Ｌ字板金１３０が右側板に取り付けられると、今度は、図７に示すように、中板板金本体１２１を左側板１０１Ｌに取り付ける。即ち、作業者は、中板板金本体１２１の取付部１２２ａ，１２２ｂを筐体１０の幅方向内側から外側に向かって左側板１０１Ｌの溝部１０４Ｌに差し込み、取付部１２２ｂの背面側の端面１２２ｂ１を溝部１０４Ｌの背面１０４Ｌ２に突き当てて前後方向の位置決めを行う。次に作業者は、取付部１２２ａ，１２２ｂの底部を溝部１０４Ｌの底面１０４Ｌ１に当接させ、中板板金本体１２１の高さ方向の位置決めを行い、この状態にて取付部１２２ａ〜１２２ｃをネジ１２９によって左側板１０１Ｌに対して締結する。
【００３６】
そして、中板板金本体１２１及びＬ字板金１３０が左右の側板１０１Ｌ，１０１Ｒに取り付けられると、作業者は、中板板金本体１２１の連結部１２６及びＬ字板金１３０の連結部１３０ｂをネジ１２７にて連結し、その後、背面板１０１Ｂに背面側ブラケット部１２３をネジで締結する。
【００３７】
５．まとめ
上述したように、本実施の形態では、筐体１０の側板１０１Ｌ，１０１Ｒ間で、筐体内部に配置される構造物を支持する支持部材としての中板板金１２０を支持する支持形状部１０４Ｌ，１０４Ｒを、筐体１０の側板１０１Ｌ，１０１Ｒに直接形成している。特に、この支持形状部１０４Ｌ，１０４Ｒを溝部として構成し、上記中板板金１２０を下方から支える支持面１０４Ｌ１，１０４Ｒ１を側板１０１Ｌ，１０１Ｒの内側面１０１Ｌ１，１０１Ｒ１よりも筐体１０の幅方向外側に位置した支持面として形成している。このため、例えば、筐体１０を繊維板などの木材により構成した場合であっても、側板１０１Ｌ，１０１Ｒの内側面１０１Ｌ１，１０１Ｒ１を切削加工するだけで中板板金１２０を支持する支持形状を容易に形成することができる。また、上記支持面により重力方向下方側から中板板金１２０が支持されることによって、リールユニット３０などの重量物が搭載される中板板金１２０を側板１０１Ｌ，１０１Ｒによってしっかりと支持することができるのみならず、中板板金１２０の高さ方向の位置決めも同時に行うことができる。加えて、中板板金１２０が高さ方向中央部付近で側板１０１Ｌ，１０１Ｒ間を架け渡されるため、筐体１０の強度も向上させることができる。
【００３８】
更に、中板板金１２０を、筐体１０の幅方向において複数に分割して形成された板状部材によって形成したことにより、支持面１０４Ｌ１，１０４Ｒ１が側板１０１Ｌ，１０１Ｒの内方に形成されている場合であっても、必ずしも筐体前面から溝部の開口部に中板板金１２０を差し込むことなく中板板金１２０を側板間に配置することができる。また、分割した部材の間（本実施の形態では、Ｌ字板金１３０と中板板金本体１２１との間）にて、Ｌ字板金１３０、中板板金本体１２１、支持形状部１０４Ｌ，１０４Ｒ等の公差を吸収することができる。
【００３９】
更に、中板板金１２０のブラケット部であるＬ字板金１３０及び中板板金本体１２１の左側ブラケット部１２２の端面を突き当てる突当面として、溝部１０４Ｌ，１０４Ｒの背面１０４Ｌ２，１０４Ｒ２を利用したことにより、上記ブラケット部１３０，１２２の前後方向位置を位置決めすることができ、この背面１０４Ｌ２，１０４Ｒ２にブラケット部１３０，１２２を突き当てることによって、ブラケット部１３０，１２２を側板１０１Ｌ，１０１Ｒに締結具（本実施の形態ではネジ１２９，１３４）によって締結される締結位置に容易に位置決めすることができる。
【００４０】
６．変形例
なお、上述した実施の形態では、筐体内部に配置される構造物を支持する支持部材として、中板板金１２０を例にとって説明をしたが、本発明はこれに限るものではない。例えば、支持部材としては、リールユニット３０の上方を支持するリールフレーム１５０などであっても良く、この場合、リールフレーム１５０を取り付けるための溝部が左右の側板１０１Ｌ，１０１Ｒに形成される。また、支持部材は、必ずしも分割された構成である必要はなく、一体物として構成されても良い。
【００４１】
更に、上述した実施の形態では、支持形状部を所定深さを備えた溝として形成したが、本発明はこれに限られるものではない。例えば、支持形状部は、側板１０１Ｌ，１０１Ｒに形成された穴等でも良く、この場合、穴の内周面下側が支持面となり、穴の内周面背面側が突当面となる。また、突当面は、必ずしも溝部の背面によって形成される必要はなく、例えば、溝部の前面によって形成されても良い。更に、上述した実施の形態では、ネジによって中板板金１２０を側板１０１Ｌ，１０１Ｒに固定したが、例えば、リベットなどの他の締結具により固定しても良い。
【００４２】
更に、上述した実施の形態では、中板板金１２０の取り付け作業性を考慮して、把手部１０８Ｌ，１０８Ｒを中板板金１２０のよりも下方にて側板１０１Ｌ，１０１Ｒに取り付けたが、これに限らず、例えば、中板板金１２０よりも上方にて側板１０１Ｌ，１０１Ｒに取り付けても良い。また、上述した実施の形態では、左右の側板１０１Ｌ，１０１Ｒの両方に支持形状部として溝部を形成したが、例えば、左右の側板１０１Ｌ，１０１Ｒのどちらか一方にのみ支持形状部を形成しても良く、また、左右の側板１０１Ｌ，１０１Ｒにて異なる支持形状部を形成しても良い。更に、筐体１０を木製としたが、本発明はこれに限らず、例えば、樹脂などによって形成されても良い。
【００４３】
また、上述した実施の形態では、左右の側板１０１Ｌ，１０１Ｒに溝部１０４Ｌ，１０４Ｒを形成したが、これに限らず、例えば、背面板１０１Ｂの前面に溝部を形成し、この背面板１０１Ｂに形成された溝部に中板板金１２０の背面側ブラケット部１２３ａ，１２３ｂが差し込まれるように構成しても良い。この場合、背面板１０１Ｂに形成された溝部の底面が、重量方向下側から中板板金１２０を支える支持面（支持形状部）となる。また、背面板１０１Ｂに形成された溝部の左右の少なくとも一方の側面が背面側ブラケット部１２３ａ，１２３ｂの側面と当接して中板板金１２０の左右方向の位置決めを行う突当面となる。更に、背面板１０１Ｂに形成された溝部の背面が背面側ブラケット部１２３ａ，１２３ｂの背面側の端面と当接して中板板金１２０の前後方向位置を位置決めする突当面となる。この背面板１０１Ｂの溝部は、左右の側板１０１Ｌ，１０１Ｒに溝部１０４Ｌ，１０４Ｒと共に筐体に形成されても良いし、左右の側板１０１Ｌ，１０１Ｒに溝部１０４Ｌ，１０４Ｒは形成されずに背面板１０１Ｂの溝部のみが形成されても良い。即ち、溝部は筐体の内側面であればどこに形成されていても良い。
【００４４】
更に、上述したスロットマシン１では、前扉５０を分離不能に一体に構成したが、上扉ユニットと下扉ユニットとに上下に分離して構成し、これら上扉ユニット及び下扉ユニットを別個に開閉可能に構成しても良い。更に、本実施の形態では、遊技機の制御基板を、主制御基板ユニット４１と演出装置を制御する副制御基板ユニットとに分離し、主制御基板ユニット４１から副制御基板ユニットへの単方向通信のみを可能に構成したが、これら主制御基板ユニット及び副制御基板ユニットは、一体に構成されても良い。また、上述した実施の形態に記載された発明はどのように組み合わされても良い。
【符号の説明】
【００４５】
１０：筐体、３０：リールユニット、１０１Ｌ，１０１Ｒ：側板、１２０：支持部材（中板板金）、１０４Ｌ，１０４Ｒ：支持形状部（溝部）、１０４Ｌ１，１０４Ｒ１：支持面（底面）、１０４Ｌ２，１０４Ｒ２：突当面（背面）、１２２，１３０：ブラケット部（左側ブラケット部、右側ブラケット部）
【図１】
2018161259.tif 000003
【図２】
2018161259.tif 000004
【図３】
2018161259.tif 000005
【図４】
2018161259.tif 000006
【図５】
2018161259.tif 000007
【図６】
2018161259.tif 000008
【図７】
2018161259.tif 000009